(57)【要約】【課題】  体の動きを妨げることなく、姿勢矯正を実現する姿勢矯正衣料を提供すること。【解決手段】  少なくとも上半身部を有する姿勢矯正衣料１において、他の部位よりも緊締力の強い帯状の張力部５ａ，５ｂが、後面において略平行に左右方向に延びて設けられ、これら二本の張力部５ａ，５ｂは、左右両端が前面側に回り込むとともに前面側で袖ぐり１０に沿ってカーブし、張力部５ａの右側端部及び左側端部は、前面において張力部５ｂの右側端部及び左側端部に対してそれぞれ連続している。【選択図】      図１
2006320640.tif 000002
【特許請求の範囲】
【請求項１】
少なくとも上半身部を有する姿勢矯正衣料において、
他の部位よりも強い緊締力を有する帯状の張力部が、後面上部において略平行に左右方向に延びて少なくとも二本設けられ、
これら二本の張力部は、左右両端が前面側に回り込むとともに同前面側で袖ぐりに沿って延在し、これら張力部のうちの一方の第１張力部の右側端部及び左側端部は、前面において同他方の第２張力部の右側端部及び左側端部に対してそれぞれ連続していることを特徴とする姿勢矯正衣料。
【請求項２】
前記二本の張力部のうち、上方に位置する前記第１張力部は、人体の僧帽筋と三角筋との間に相当する位置を通って設けられ、
下方に位置する前記第２張力部は、人体の肩甲骨の下方に相当する位置を通って設けられていることを特徴とする請求項１に記載の姿勢矯正衣料。
【請求項３】
前記二本の張力部は、後面の左右中心位置にて縦方向に沿う第３張力部により連結されていることを特徴とする請求項２に記載の姿勢矯正衣料。
【発明の詳細な説明】
【技術分野】
【０００１】
本発明は、姿勢矯正衣料に関し、特に肩甲骨の間隔を狭めて脊椎の姿勢を保つ姿勢矯正衣料に関する。
【背景技術】
【０００２】
近年、姿勢矯正用やスポーツ用として、緊縛力の強い衣類により筋肉や骨格をサポートする衣類が開発されている。例えば特許文献１には、肩や上肢部の保護のために緊縛力の強い強緊締力部を衣類の背中部分にＸ字状に配すとともに、袖ぐりを跨いで強緊締力部を設けた衣料が開示されている。これにより、上腕を肩甲骨に近づけ、肩甲骨を胸郭の後側に強力に固定している。
【特許文献１】特許第３１１５８１６号
【発明の開示】
【発明が解決しようとする課題】
【０００３】
しかし、上記従来の衣料は、スポーツテーピングの代替として上肢の筋肉及び関節の保護を目的としているため、姿勢自体を矯正するものではない。
【０００４】
本発明は上記事情に鑑みて成されたものであり、姿勢矯正を実現する姿勢矯正衣料を提供することを目的とする。
【課題を解決するための手段】
【０００５】
本発明においては上記の課題を解決するために以下の手段を採用した。すなわち、請求項１に記載の発明は、少なくとも上半身部を有する姿勢矯正衣料において、他の部位よりも強い緊締力を有する帯状の張力部が、後面（背面）上部において略平行に左右方向（水平方向）に延びて少なくとも二本設けられ、これら二本の張力部は、左右両端が前面（正面）側に回り込むとともに同前面側で袖ぐりに沿って延在し、これら張力部のうちの一方の第１張力部の右側端部及び左側端部は、前面において同他方の第２張力部の右側端部及び左側端部に対してそれぞれ連続していることを特徴とする。
【０００６】
本発明によれば、体にタイトフィットした状態で着用されると、その際に伸長した張力部が縮もうとする緊締力（締め付け力）を発揮し、肩甲骨が互いに背面側の左右方向内側に引き寄せられる。したがって、肩関節の可動域が広がる。張力部は袖ぐりを跨いだ位置に設けられていないため、三角筋の動きを妨げることもない。また、張力部によって胸部が左右に広げられる。
【０００７】
さらに、肩甲骨が引き寄せられると起立姿勢自体が良くなり、脊柱起立筋を支えるとともに、脊柱の自然なＳ字状カーブを維持しやすくなる。これにより、骨盤の崩れを抑制し、腰部にかかる負担をも軽減する。
【０００８】
請求項２に記載の発明は、請求項１に記載の姿勢矯正衣料において、上方に位置する前記第１張力部は、人体の僧帽筋と三角筋との間に相当する位置を通って設けられ、下方に位置する前記第２張力部は、人体の肩甲骨の下方に相当する位置を通って設けられていることを特徴とする。
【０００９】
本発明によれば、着用された場合に第１張力部によって三角筋がサポートされることで、腕を上下に上げやすくなる。また、第２張力部は着用者の肩甲骨の下方に位置することで、肩甲骨の動きを妨げることなく肩甲骨の位置を左右に引き寄せることが可能となる。
【００１０】
請求項３に記載の発明は、請求項２に記載の姿勢矯正衣料において、前記二本の張力部は、後面の左右中心位置にて縦方向に沿う第３張力部により連結されていることを特徴とする。
【００１１】
本発明によれば、着用者の背中上部に相当する位置において、第３張力部が縮もうとする緊締力を有するため、第１張力部と第２張力部との間隔が着用時に広がり過ぎてしまうことを抑制し得て、所望の箇所に第１張力部と第２張力部による緊締力を有効に作用させることができる。
【発明の効果】
【００１２】
本発明によれば、張力部の作用によって肩甲骨が引き寄せられることにより、肩関節の可動域が広がり、さらに胸部が広げられる。したがって、体の動きを妨げることなく、姿勢矯正を実現することができ、これにより、骨盤の崩れを抑制し、腰部にかかる負担をも軽減することができる。
【発明を実施するための最良の形態】
【００１３】
次に、本発明の一実施形態について図面を参照して説明する。
【００１４】
図１は、本実施形態に係る姿勢矯正衣料１の背面図、図２は正面図である。この姿勢矯正衣料１は、衣料本体を構成する身頃（他の部位）２と、身頃２の左右に設けられた袖（他の部位）３Ｒ、３Ｌと、張力部（第１張力部〜第３張力部）５ａ〜５ｃとを備える。
【００１５】
身頃２及び袖３Ｒ，３Ｌは、伸縮性に富む生地、例えばナイロン、ポリエステル、アクリル、トリアセテート、ポリウレタン等の繊維を使用した丸編み（緯編地）、トリコット（経編地）等の、一般的に長繊維といわれる合成繊維を主な原料とし、薄手（４００ｇ／ｍ2以下であることが好ましい）のニット組織でできた生地（いわゆるストレッチ素材）により構成されている。
【００１６】
姿勢矯正衣料１の後面には、身頃２の上部に位置して、他の部位よりも緊締力の強い二本の帯状の張力部５ａ、５ｂが、略平行に左右方向に延びて設けられている。
【００１７】
上方の張力部５ａ（第１の張力部）は、二点鎖線で示した人体の僧帽筋６と三角筋７との間に相当する位置を通って設けられ、下方に位置する張力部５ｂ（第２の張力部）は、人体の肩甲骨８の下方に相当する位置を通って設けられている。これら張力部５ａ、５ｂ（及び後述の張力部５ｃ）は、身頃２とは別体に形成された後で、その上に積層固定された帯状片であり、身頃２や袖３Ｒ，３Ｌよりも強い緊締力を有する。
【００１８】
張力部５ａ，５ｂは、例えば３〜１０ｃｍ幅とされるが、この幅は発揮させる緊締力等に応じて適宜変更することが可能である。
【００１９】
張力部５ａ，５ｂに使用される生地としては、緊締力さえ異ならせておけば、身頃２や袖３Ｒ，３Ｌと同じものを使用することができる。
【００２０】
これら二本の張力部５ａ、５ｂは、左右両端が前面側に回り込み、張力部５ａは人体の鎖骨１１の端に掛かる位置を跨ぎ、張力部５ｂは腋下点１２を通る。そして、前面側で袖ぐり１０に沿ってカーブして延在し、張力部５ａの右側端部と張力部５ｂの右側端部、張力部５ａの左側端部と張力部５ｂの左側端部とが連続して一体となっている。
【００２１】
さらに、後面において、二本の張力部５ａ、５ｂが、左右方向の中心位置（人体の脊椎１９に沿った位置）において、縦方向（上下方向）に沿って延在する第３の張力部５ｃにより連結されている。
【００２２】
このように構成された姿勢矯正衣料１では、所定の寸法設定内において伸長された状態、すなわち体にタイトフィットした状態で着用される。したがって、着用された状態では、張力部５ａ〜５ｃは図３及び図４に示した矢印方向に縮もうとする緊締力（収縮力）を発揮する。
【００２３】
詳細には、後面においては、張力部５ａ、５ｂは略水平方向に脊椎方向に向けて弾性力を発揮する。また、図５の平面図に示したように、袖ぐり１０の前面に沿って設けられた張力部５ａ、５ｂによって、着用者の両肩を背面側の左右方向内側に引っ張る緊締力を発揮する。
【００２４】
この緊締力により、着用者の肩甲骨８が互いに引き寄せられ、胸部は左右に広げられる。さらに、後面において張力部５ｃが張力部５ａ、５ｂを引き寄せることにより、張力部５ａと張力部５ｂとの間隔が着用時に広がり過ぎてしまうことを抑制し得て、所望の箇所に、張力部５ａ、５ｂによる緊締力を有効に作用させることができる。
【００２５】
このように、肩甲骨８が互いに引き寄せられることで、肩関節の可動域が広がり、腕を動かし易くなる。また、張力部５ａ〜５ｃは肩甲骨８および三角筋７の動きを妨げない位置に設けられているため、体の動きを阻害することもない。
【００２６】
そして、肩甲骨８が引き寄せられると起立姿勢自体が良くなり、脊柱起立筋を支えるとともに、脊柱の自然なＳ字状カーブを維持しやすくなる。これにより、骨盤の崩れを抑制し、腰部にかかる負担をも軽減する。また、胸部が上下左右に広げられることで胸郭が広がり、呼吸を楽にすることができる。
【００２７】
ここで、本実施形態の姿勢矯正衣料１により矯正される姿勢について説明する。人体の正常な正立位は、側面から見た場合に脊椎１９が緩やかなＳ字を描く。しかしながら、図６（ａ）に示したように脊椎１９のＳ字状が崩れると、骨盤が前に下がる、顎２１が前方に出る、胸部（胸骨）２２が狭くなる、という状態となる。これにより、腹筋が緩む、肩関節の可動域が狭くなる、肩こり、腰痛の原因となるという問題が生ずる。
【００２８】
本実施形態においては、上記の張力部５ａ〜５ｃの弾性力により、着用者に対して図６（ｂ）の矢印で示した力が作用する。すなわち、骨盤が傾斜してくる、あご２１が引ける、胸部（胸骨）２２が広がる、という状態となる。これにより、脊椎１９が側面から見て緩やかなＳ字状を保つことができる。したがって、腹部（腹筋）が引き締まる、肩関節の可動域が広がる、という効果を得ることができる。
【００２９】
そしてこの結果、胸郭の拡大、肺活量増大、呼吸サポート、姿勢維持、疲労軽減、筋力補助、運動パフォーマンス向上、肩こりの軽減、腰痛軽減、血流改善、肩関節の負担軽減、及び、肩関節可動域増大等の効果を得ることができる。
【００３０】
なお、上記実施形態において身頃２は人体の上半身のみを覆うものであるが、下半身の一部または全部まで覆うものであってもよい。
【００３１】
また、張力部５ａ〜５ｃは他の部位とは別に形成された帯状片を固定したものであるが、他の部位と一体に形成したもの（部分的に強い緊締力を有する領域）であってもよい。
【００３２】
次に、姿勢矯正衣料１の冷却・保温機能について説明する。
【００３３】
本衣料１を、直接肌面に接し、かつ寸法設定において肌面に密着するよう設計する。図７に示したように、内側及び外側に他のものを重ねず、単体で着用した場合、生地の表面の細かな凹凸１ａが体表面積を広げたことと同じ現象となる。したがって、体表面３０の放熱を促進する機能が発生し、着用者自身の僅かな動作や外部から受ける微風などの外気の動きにより、何も着用しない裸の状態でいる場合と比較し、符号３１のように積極的に体温が奪われる。
【００３４】
図８は、姿勢矯正衣料１の外側に、布帛（織物）または比較的目の詰まったニット繊維（編み地）で構成され、体には密着しない寸法の衣類３２を重ねた（すなわち重ね着をした）状態である。
【００３５】
図７では積極的に放熱されていた体温３１が逃げる場所を失い、熱は姿勢矯正衣料１と重ね着した衣類３２との間にできた空気の層３３に滞留することとなる（これを符号３４で示した）。すなわち、肌に密着させた姿勢矯正衣料１が放熱を防ぎ、さらに輻射熱とも相まって、蓄熱保温効果が生まれる。
【００３６】
図９は、肌面に姿勢矯正衣料１ではなく通常の衣類、例えば綿の下着や肌に密着しないタイプの衣類３５を着用した従来例である。図８の状態と比較し、衣類内部での空気の対流３６はあるものの、放熱された体温が滞留するものではないため、輻射熱を積極的に蓄熱する効果を持たない。このように、図８の例では、従来の一般的な重ね着と比較して高い保温効果を得ることができる。
【００３７】
このように、姿勢矯正衣料１を肌に密着させることにより、重ね着をしない場合には積極的に体温を逃がし、重ね着をした場合には蓄熱保温効果を得ることができる。なお、この冷却・保温効果については、上記の素材を採用した衣類であれば張力部を設けない場合においても得ることができるのは言うまでもない。
【図面の簡単な説明】
【００３８】
【図１】本発明の一実施形態に係る姿勢矯正衣料の背面図である。
【図２】同姿勢矯正衣料の正面図である。
【図３】同姿勢矯正衣料の背面図であり、張力部の力の向きを示した図である。
【図４】同姿勢矯正衣料の正面図であり、張力部の力の向きを示した図である。
【図５】同姿勢矯正衣料の平面図であり、張力部の力の向きを示した図である。
【図６】同姿勢矯正衣料を用いた場合の姿勢の変化について示した模式図である。
【図７】同姿勢矯正衣料の冷却機能について示した模式図である。
【図８】同姿勢矯正衣料の蓄熱保温機能について示した模式図である。
【図９】通常の重ね着をした状態の保温状態について示した模式図である。
【符号の説明】
【００３９】
１…姿勢矯正衣料、２…身頃（他の部位）、３Ｒ，３Ｌ…袖（他の部位）、５ａ…張力部（第１張力部）、５ｂ…張力部（第２張力部）、５ｃ…張力部（第３張力部）、６…僧帽筋、７…三角筋、８…肩甲骨、１０…袖ぐり、１１…鎖骨、１２…腋下点
【図１】
2006320640.tif 000003
【図２】
2006320640.tif 000004
【図３】
2006320640.tif 000005
【図４】
2006320640.tif 000006
【図５】
2006320640.tif 000007
【図６】
2006320640.tif 000008
【図７】
2006320640.tif 000009
【図８】
2006320640.tif 000010
【図９】
2006320640.tif 000011